(57)【特許請求の範囲】
【請求項１】
リンク用支点から径方向に離れた先端側に出力端部を有して揺動自在に保持されたリンクレバーと、
前記リンクレバーの出力端部にリンク接合されて当該リンクレバーの揺動に伴い直線摺動自在に保持されたデッドボルトと、
前記リンクレバーの出力端部から離れた位置に設けられたリンクピンで前記デッドボルトに設けられたピン通孔にリンク接合されていると共に当該デッドボルトの摺動領域から見て前記リンク用支点と同じ沿線側の別位置に配置された鎌用支点により揺動自在に保持された鎌と、を有しており、
前記デッドボルトは前記鎌を表裏両側から挟持しつつ前記リンク用支点及び前記鎌用支点とは逆向きの沿線に沿って溝底部を有したＵ字形断面に形成されており、
前記リンクレバーの出力端部は前記鎌が前記デッドボルトとリンク接合される位置よりも溝深さ方向に深く延長されることにより前記デッドボルトの溝底部に近接乃至到達する位置にて当該デッドボルトに対するリンク接合部が形成され、
前記リンクレバーには前記リンク用支点から径方向に離れた位置に対してシーソー動作をする切換操作具の動作杆との入力端部が設けられ、
前記デッドボルトの前記ピン通孔は前記デッドボルトの引き込み摺動を許容する横孔と前記リンクレバーの前記リンクピンに対して上下動を許容する縦孔とを有する倒立Ｌ型の開口形状に形成され
ていることを特徴とするデッドボルト付き鎌錠。
【請求項２】
前記リンクレバーの前記入力端部は前記出力端部から見て前記リンク用支点を超えて反対側へ延長した突端側に設けられており、前記入力端部が前記リンク用支点まわりで揺動する領域に対して前記鎌が揺動により到達するロック位置とアンロック位置とに相当させて前記入力端部を停止保持させ且つこれらロック位置とアンロック位置との中間位置でクリック操作感を生じさせる乗り越え弾性部を備えたバネが設けられていることを特徴とする請求項１記載のデッドボルト付き鎌錠。
【請求項３】
前記リンクレバーのリンク用支点には、回転操作具の回転軸を一体回転可能に嵌合保持する第２入力端部が設けられていることを特徴とする請求項１又は請求項２記載のデッドボルト付き鎌錠。
【発明の詳細な説明】
【技術分野】
【０００１】
本発明は、開き戸及び引き戸のいずれにも好適に使用可能であり、また室内用、室外用のいずれにも対応可能であって、閉戸状態と開戸状態とを切り換える切換操作具の種類も適宜選択できるようにしたデッドボルト付き鎌錠に関する。
なお、一般に「ドアー」「扉」「戸」等の呼称は、「開き戸」や「引き戸」をはじめ開口部を開閉する種々様々な建具を含んだ総称として使用されることがある。このうち「開き戸」は蝶番を支点として揺動する戸を指し、「引き戸」はレールに沿って直線的に移動する戸を指す。本明細書では、開き戸及び引き戸を個別に特定する必要のある場合はそれら各呼称を用い、これら両方を含む場合は、単に「戸」の呼称を用いるものとする。
【背景技術】
【０００２】
引き戸において、閉戸状態を維持させるための機構の一種として、鎌錠が用いられることは周知である。鎌錠は、引き戸に設けた回転動作をする切換操作具（以下、「回転操作具」と言う）を９０°程度、回転操作することで引き戸の戸先面から鎌を出没させ、この戸先面と対峙する面（戸柱や両開き引き戸の場合の相手側引き戸の戸先面）に取り付けた錠受けに鎌を係合させたり離脱させたりする。
【０００３】
回転操作具を操作するには小さなツマミを摘む必要があり、高齢者や子供、身体障害者などには不便な場合がある。このような不便に対処するものとして、近年では、回転操作具を廃止し、代わりにシーソー動作をする切換操作具（二つのボタン面を選択的に押し操作するシーソースイッチの様なタイプであり、以下、「シーソー操作具」と言う）を採用することが提案されている（特許文献１参照）。
【０００４】
シーソー操作具による鎌錠の駆動は、シーソー動作によって生じる動作杆の揺動でリンクレバーを揺動させ、このリンクレバーの揺動で、揺動自在に保持した鎌の根元に駆動力を伝えるという機構が採用されていた。なお、シーソー操作具によって得られる動作杆の揺動角度は小さく、従ってリンクレバーについても２０〜３０°程度の揺動を生じさせるのがせいぜいである。しかし、鎌には９０°程度の揺動が必要なため、リンクレバーから鎌への伝動部には、揺動角度を拡大させるためのカム作用部を採用してあった。
【０００５】
ところで、この種の鎌錠では、引き戸の戸先面から突出したときの鎌を補強するために、鎌の表裏両面を挟持するように配置する断面Ｕ字状をしたデッドボルトが併用されたものが知られている（特許文献２等参照）。デッドボルトは、鎌の揺動に連動しつつ、引き戸の戸先面から直線的に出没する方向で摺動する。なお、デッドボルトを採用する場合は、構造の大型化や複雑化を抑制するために、デッドボルトから鎌へ駆動を伝動することとし、操作入力はデッドボルトに対して行うようにしている。ここにおいて、デッドボルトに必要とされる摺動ストロークは、シーソー操作具によって得られる動作杆の揺動角度では不足とされる程に、大きなものである。そのため、デッドボルトを採用する場合には、回転操作具を採用することが限定されている。
【先行技術文献】
【特許文献】
【０００６】
【特許文献１】特許第４５９９４４８号公報
【特許文献２】特開２０１２−２１９４６７号公報
【発明の概要】
【発明が解決しようとする課題】
【０００７】
鎌補強用のデッドボルトを非採用とする場合にあって、回転操作具を採用するときは、操作範囲の９０°がそのまま、鎌を引き戸の戸先面から出没させる動作範囲に相当するため、伝動構造に困難なところはない。しかし、回転操作具に代えてシーソー操作具を採用するときには、前記のようにシーソー動作によって生じさせる動作杆の揺動角度が小さいので、伝動構造にカム機構を採り入れる必要が生じている。
【０００８】
これに対し、鎌補強用のデッドボルトを採用する場合には、前記のように回転操作具を選択することが限定される。もし仮に、シーソー操作具を採用したとすると、動作杆に大きな揺動角度を生じさせるうえで構造の大型化や複雑化が必定となり、更には故障し易さをも招来するためである。従って従来は、鎌錠においては、シーソー操作具の採用とデッドボルトの採用とは二者択一的なもの（併用は不可能）とされていた。
【０００９】
このように、デッドボルトを採用する場合はシーソー操作具を採用することができないので、結果として、小さなツマミを摘むことを苦手とする高齢者や子供、身体障害者などには操作性において不便を強いているのが実情である。
ただ、本発明者は、鎌錠においてデッドボルトを採用することは、引き戸への採用のみならず、開き戸への採用をも選択肢にできる可能性を含んだものであることを突き止めている。しかしながら、前記したようにシーソー操作具の採用とデッドボルトの採用との併用は不可とされていたことで、この可能性を追求することもできないでいた。
【００１０】
本発明は、上記事情に鑑みてなされたものであって、開き戸及び引き戸のいずれにも好適に使用可能であり、また室内用、室外用のいずれにも対応可能であって、閉戸状態と開戸状態とを切り換える切換操作具の種類も適宜選択できるようにしたデッドボルト付き鎌錠を提供することを目的とする。
【課題を解決するための手段】
【００１１】
前記目的を達成するために、本発明は次の手段を講じた。
即ち、本発明に係るデッドボルト付き鎌錠は、リンク用支点から径方向に離れた先端側に出力端部を有して揺動自在に保持されたリンクレバーと、前記リンクレバーの出力端部にリンク接合されて当該リンクレバーの揺動に伴い直線摺動自在に保持されたデッドボルトと、前記リンクレバーの出力端部から離れた位置に設けられたリンクピンで前記デッドボルトに設けられたピン通孔にリンク接合されていると共に当該デッドボルトの摺動領域から見て前記リンク用支点と同じ沿線側の別位置に配置された鎌用支点により揺動自在に保持された鎌と、を有し、前記デッドボルトは前記鎌を表裏両側から挟持しつつ前記リンク用支点及び前記鎌用支点とは逆向きの沿線に沿って溝底部を有したＵ字形断面に形成されており、前記リンクレバーの出力端部は前記鎌が前記デッドボルトとリンク接合される位置よりも溝深さ方向に深く延長されることにより前記デッドボルトの溝底部に近接乃至到達する位置にて当該デッドボルトに対するリンク接合部が形成され、前記リンクレバーには前記リンク用支点から径方向に離れた位置に対してシーソー動作をする切換操作具の動作杆との入力端部が設けられ、前記デッドボルトのピン通孔は前記リンクレバーのリンクピンに対して上下動を許容する縦筋と当該デッドボルトの引き込み摺動を許容する横筋とを有する倒立Ｌ型の開口形状に形成されていることを特徴とする。
【００１２】
前記リンクレバーの前記入力端部は前記出力端部から見て前記リンク用支点を超えて反対側へ延長した突端側に設けられており、前記入力端部が前記リンク用支点まわりで揺動する領域に対して前記鎌が揺動により到達するロック位置とアンロック位置とに相当させて前記入力端部を停止保持させ且つこれらロック位置とアンロック位置との中間位置でクリック操作感を生じさせる乗り越え弾性部を備えたバネが設けられたものとすることができる。
【００１３】
前記リンクレバーのリンク用支点には、回転操作具の回転軸を一体回転可能に嵌合保持する第２入力端部が設けられたものとするのがよい。
【発明の効果】
【００１４】
本発明に係るデッドボルト付き鎌錠は、開き戸及び引き戸のいずれにも好適に使用可能であり、また室内用、室外用のいずれにも対応可能であって、閉戸状態と開戸状態とを切り換える切換操作具の種類も適宜選択できるようになっている。
【図面の簡単な説明】
【００１５】
【図１】本発明に係るデッドボルト付き鎌錠の第１実施形態において鎌の突出状態を示した正面断面図である。
【図２】本発明に係るデッドボルト付き鎌錠の第１実施形態において鎌の収容状態を示した正面断面図である。
【図３】本発明に係るデッドボルト付き鎌錠の第１実施形態の分解斜視図である。
【図４】図５のＡ−Ａ線断面図である。
【図５】本発明に係るデッドボルト付き鎌錠の第１実施形態とシーソー操作具とを組み合わせて戸へ取り付けた様子を示した正面図である。
【図６】図５のＢ−Ｂ線矢視図である。
【図７】シーソー操作具を示したものであって（ａ）は側面図であり（ｂ）は背面図である。
【図８】シーソー操作具の分解斜視図である。
【図９】シーソー操作具のシーソーピン取付構造を示した要部拡大断面図である。
【図１０】本発明に係るデッドボルト付き鎌錠の第２実施形態を示した正面断面図である。
【発明を実施するための形態】
【００１６】
以下、本発明の実施の形態を、図面に基づき説明する。
図１乃至図３は、本発明に係るデッドボルト付き鎌錠１の第１実施形態を示している。また図４乃至図６は、この第１実施形態の鎌錠１とシーソー操作具２（シーソー動作をする切換操作具）とを組み合わせて戸３（例えば、引き戸等）へ取り付けた様子を示している。
【００１７】
この鎌錠１は、錠ケース６内で揺動自在に設けられたリンクレバー７と、このリンクレバー７にリンク接合されて錠ケース６（戸３の戸先面３ａ）から出没する方向で摺動自在に保持されたデッドボルト８と、このデッドボルト８に抱き込まれた状態でリンク接合されて錠ケース６（戸３の戸先面３ａ）から出没する方向で揺動自在に保持された鎌９とを有している。
【００１８】
またこの他、錠ケース６内には、リンクレバー７が揺動するときにその揺動範囲の両端位置でリンクレバー７に対して係止付勢力を生じさせるためのバネ１０が備えられている。
リンクレバー７は、表裏両面から円盤状に突出して形成されたリンク用支点１５と、このリンク用支点１５の外周部からそれぞれ異なる径方向へ突出して設けられた出力端部１６及び入力端部１７とを有している。このリンクレバー７は、錠ケース６に形成された円形孔２０にリンク用支点１５の円盤形を回転自在に嵌合させることで、出力端部１６及び入力端部１７を錠ケース６内で一体揺動させるようになっている。
【００１９】
本第１実施形態において、リンク用支点１５には円盤形の中心位置に第２入力端部２１が設けられている。この第２入力端部２１は、回転操作具（回転動作をする切換操作具：なお図示略）の回転軸を一体回転可能に嵌合させるためのものであって、具体的には貫通した角孔を形成することで構成してある。
リンクレバー７の出力端部１６は、デッドボルト８とリンク接合する部分であって、リンク用支点１５から径方向に離れた先端側に設けられている。この出力端部１６は、具体的には貫通した円形孔２３に対してデッドボルト８との間にリンクピン２４を挿通させることで構成させるものとしてある。
【００２０】
これに対して入力端部１７は、シーソー操作具２（シーソー動作をする切換操作具：図４〜図８参照）の動作杆２ａと係合可能にする部分であって、出力端部１６から見てリンク用支点１５を超えて反対側へ延長した突端側に設けられている。この入力端部１７は出力端部１６よりも突出長さが短くなっている。
この入力端部１７は、具体的には貫通した台形孔２５を形成することで構成してある。台形孔２５は、その下底（長辺側）をリンクレバー７の回転中心寄りに配置し上底（短辺側）を回転中心より遠く配置してある。このように台形孔２５を配置することで、入力端部１７の揺動に伴う動作杆２ａとの相対的な角度変移に対して、この動作杆２ａの外周面と台形孔２５の内周縁との係合状態をうまく馴染ませることができる（動力伝達が円滑で効率よく行える）。
【００２１】
なお、本第１実施形態において、入力端部１７の突端側は山形状に尖らせてあり、その尖り部の両側に形成される二つの斜面を、バネ１０による当接面として作用させるようにしてある。
リンクレバー７において、第２入力端部２１の角孔や入力端部１７の台形孔２５は、いずれも貫通させてあるので、それぞれリンクレバー７の表裏いずれからでも使用可能となっている。すなわち、錠ケース６の表裏両面に対して、第２入力端部２１の角孔や入力端部１７の台形孔２５と合致する開口を設けておくことで、錠ケース６の表裏いずれからでも回転操作具やシーソー操作具２を組み付けることができるのである。その結果として、戸３の開き勝手を任意に設定できる（いずれの戸面に回転操作具やシーソー操作具２を取り付けるかを選択できる）ことになり、それだけ鎌錠１としての汎用性が高められている。
【００２２】
デッドボルト８は、錠ケース６内においてリンクレバー７の出力端部１６が指向する先方（図例ではリンクレバー７の下方）に配置されている。このデッドボルト８は、鎌９を表裏両側から挟持できるように、表裏一対の側板８ａとこれら側板８ａを連結する溝底部８ｂとを有してＵ字形断面に形成されている。溝底部８ｂは、このデッドボルト８の摺動領域を境として、リンクレバー７のリンク用支点１５や、後述する鎌９の鎌用支点３０が配置された方向とは逆向きとなる配置で設けられている。
【００２３】
このようなデッドボルト８に対して、そのＵ字形の溝内にリンクレバー７の出力端部１６が差し込まれるようになっている。そして、デッドボルト８の両側の側板８ａ間を串刺し状に貫通して設けられるリンクピン２４により、このデッドボルト８とリンクレバー７の出力端部１６とがリンク接合されている。これにより、リンクレバー７が揺動するときに、出力端部１６からの駆動を受けてデッドボルト８が直線摺動することになる。デッドボルト８の直線摺動は、両側の側板８ａを串刺し状に貫通する摺動ピン２６が錠ケース６に設けられた長孔２７に嵌められることによりガイドされる。
【００２４】
リンクレバー７とデッドボルト８とのリンク接合部（リンクピン２４を設ける位置）は、リンクレバー７の出力端部１６がデッドボルト８の溝底部８ｂに近接乃至到達する位置としてある。言い換えれば、リンクレバー７の出力端部１６がデッドボルト８の溝底部８ｂに近接乃至到達するまで延長されている。このようにリンクレバー７の出力端部１６を延長させることにより、リンクレバー７の入力端部１７を２０°〜３０°程度、揺動させたときに、デッドボルト８がこの揺動に見合った摺動量を超えて（拡大して）大きなストロークで摺動できるようにしてある。デッドボルト８の摺動ストロークは、このデッドボルト８にリンク接合された鎌９に９０°程度の揺動を起こせることを目安として設定してあることは言うまでもない。
【００２５】
具体的には、リンクレバー７とデッドボルト８とのリンク接合部は、鎌９がデッドボルト８とリンク接合される位置（後述するように摺動ピン２６によってリンク接合されている）よりも溝深さ方向に深くなる位置としてある。
なお、デッドボルト８の両側の側板８ａにおいて、リンクピン２４を貫通させるためのピン通孔２８は、デッドボルト８の引き込み摺動を許容する横孔とリンクレバー７のリンクピン２４に対して上下動を許容する縦孔とを有する倒立したＬ字状の開口形状とされている。そのため、戸３の戸先面３ａからデッドボルト８が突出しているときに、デッドボルト８に対して押し込み方向の外力が作用したとしても、リンクピン２４がピン通孔２８の内縁部に引っ掛かりを生じてリンクレバー７の急峻な揺動は阻止される構造となっている。
【００２６】
鎌９は、デッドボルト８の摺動領域を境として、リンクレバー７のリンク用支点１５が配置されたのと同じ沿線側（図例ではデッドボルト８の上方）となるように配置されている。また、前記したようにこの鎌９は、その表裏面がデッドボルト８の側板８ａで挟持されるように、デッドボルト８が呈するＵ字形の溝内に差し込まれる配置とされている。
この鎌９は、リンクレバー７のリンク用支点１５に隣接して配置された鎌用支点３０により揺動自在に保持されている。この鎌用支点３０がリンクレバー７のリンク用支点１５とは別位置であることは言うまでもない。従って鎌９は、この鎌用支点３０を中心として、戸３の戸先面３ａから突出して鎌受けに係合するロック位置（図１の状態）と、戸３の戸先面３ａ内に引き込んだアンロック位置（図２の状態）との２位置間を含んで揺動するようになっている。
【００２７】
そして、鎌９には、デッドボルト８の直線摺動をガイドする摺動ピン２６（両側の側板８ａ間を串刺し状に貫通している）を通り抜けさせる傾斜孔３３が形成されており、この摺動ピン２６と傾斜孔３３との関係によって鎌９とデッドボルト８とがリンク接合されている。この傾斜孔３３は、デッドボルト８の直線摺動で鎌９が鎌用支点３０を中心とした揺動を起こすようにするためのカム作用を生じる。
【００２８】
かくして、リンクレバー７の揺動を起因とするデッドボルト８の直線摺動に伴い、鎌９もデッドボルト８の摺動量に見合った揺動（ロック位置とアンロック位置との２位置間を含んだ揺動）を起こすようになる。
バネ１０は、コイルバネの両側のバネ脚を径方向外方へ張り出させることで形成したものであって、一方のバネ脚は錠ケース６内の適所（図例では内側面）に係合し、他方のバネ脚は、錠ケース６内で揺動するリンクレバー７の入力端部１７（山形に尖った部分）と接触干渉するような配置とされ、この状態で錠ケース６内に取り付けられる。
【００２９】
リンクレバー７の入力端部１７に設けられる山形の二つの斜面に対し、バネ１０のバネ脚が接触したときには、リンクレバー７の揺動が停止規制される。この停止時において、鎌９は、ロック位置に到達したときであるか、又はアンロック位置に到達したときである。すなわち、リンクレバー７に対するバネ１０の接触干渉に伴い、鎌９は、ロック位置とアンロック位置との２位置で、それぞれ停止保持されるようになっている。
【００３０】
そして、バネ１０において、リンクレバー７の入力端部１７と接触する方のバネ脚にはクランク状に屈曲された部位が設けられている。この屈曲部位は、リンクレバー７が揺動するとき（鎌９がロック位置とアンロック位置との間で揺動するとき）に、その揺動途中で、入力端部１７に対してその山形頂部がバネ脚を押し上げながら乗り越えるような軽度の衝撃を生じさせる。このことから、バネ１０の一方のバネ脚に設けられた屈曲部位は、リンクレバー７の揺動時にクリック操作感を生じさせるための乗り越え弾性部３４を構成していることになる。
【００３１】
なお、シーソー操作具２は、図４〜図７に示すように、山形状に屈曲した状態に隣接配置された二つのボタン面３５を有する操作部材３６と、この操作部材３６の中心部（両ボタン面３５間の中間位置）へ串刺し状に差し込むシーソーピン３７と、操作部材３６を額縁状に取り囲んだ状態でシーソーピン３７の両端を支持するケース３８とを有したものである。二つのボタン面３５の中間位置（シーソーピン３７の位置）には、背後へ向けて角棒状に突出する動作杆２ａが設けられており、シーソーピン３７を支点としてボタン面３５を選択的に（交互に）押すごとに、この動作杆２ａが揺動する構造である。
【００３２】
このシーソー操作具２においては、組み立てを容易にし、また使用中に、意に反して分解してしまうのを防止するために、図８に示すような構造を採用することが推奨される。すなわち、シーソーピン３７には、その一端部寄りにバネリング４０を嵌めるための周溝４１を設けておくと共に、操作部材３６には、シーソーピン３７を突き刺す一方のピン保持孔４３に対し、バネリング４０を嵌合可能なバネ入れ凹部４４を設けておく。バネリング４０は、シーソーピン３７よりも径小で、且つ周溝４１よりも径大となる状態を常態として、拡径しようとする外力に対して縮径方向のバネ力を生起するものとする。
【００３３】
このような構造を採用すると、予め、操作部材３６のバネ入れ凹部４４にバネリング４０を嵌め入れ、操作部材３６をケース３８に組み入れた後に、ケース３８の外側から操作部材３６のピン保持孔４３へ目掛けてシーソーピン３７を押し込むようにするだけで、図９に示すように、シーソーピン３７の周溝４１にバネリング４０がバネ力を伴って嵌り込む組み付け状態が必然的に得られるようになる。この組み付け状態（図９に示す状態）になると、バネリング４０がシーソーピン３７の軸方向移動を阻害するようになるので、シーソーピン３６の脱け出しは決して起こらず、結果としてシーソー操作具２が意に反して分解してしまうようなことはない。
【００３４】
以上詳説したところから明らかなように、本発明に係るデッドボルト付き鎌錠１は、例えば、戸３を引き戸とする場合にあっては、リンクレバー７の入力端部１７（台形孔２５）にシーソー操作具２の動作杆２ａを係合させるように組み合わせる。このときシーソー操作具２は二つのボタン面３５が左右に並ぶ向きとする。リンクレバー７の入力端部１７は、台形孔２５を貫通させた構造であるので戸３に対しては戸面の表裏いずれからでもシーソー操作具２を組み付けることができる。
【００３５】
また、シーソー操作具２に代えて回転操作具（図示略）を組み付ける場合は、リンクレバー７のリンク用支点１５に設けた第２入力部２１（角孔）に回転操作具の回転軸を挿入させるように組み合わせる。第２入力端部２１についても、角孔を貫通させた構造としてあるので、戸３に対しては戸面の表裏いずれからでもシーソー操作具２を組み付けることができる。
【００３６】
のみならず、本発明の鎌錠１はデッドボルト８を備えるものであるために、戸３を開き戸とする場合でも好適に使用可能である。勿論、シーソー操作具２でも回転操作具でも、いずれを採用してもよい。また錠全体として簡潔でコンパクトな構造にすることができるので、室外用としてはもとより、室内用としても対応可能である。
図１０は、本発明に係る鎌錠１の第２実施形態を示している。本第２実施形態の鎌錠１が第１実施形態と最も異なるところは、リンクレバー７に対して入力端部１７が１本追加され、合計２本設けられている点にある。
【００３７】
各入力端部１７は、リンク用支点１５のまわりに互いに９０°の配置間隔をおいて設けられたものとしてある。そのため、一方の入力端部１７（第１実施形態の入力端部１７と同じ位置であって図１０の上方側のもの）にシーソー操作具２を組み付けた場合には、シーソー操作具２のボタン面を左右並びとなるように配置できる。これに対して、他方の入力端部１７（第２実施形態において追加した位置であって図１０の左方側のもの）にシーソー操作具２を組み付けた場合には、シーソー操作具２のボタン面を上下並びとなるように配置できる。
【００３８】
このように、シーソー操作具２のボタン面を左右並びとするか上下並びとするかの選択が、戸３の仕様や使用者のニーズなどに応じて任意に行えるものである。
ところで、本発明は、前記実施形態に限定されるものではなく、実施の形態に応じて適宜変更可能である。
例えば、リンクレバー７において、入力端部１７や出力端部１６の相対的な突出角は限定されるものではない。また入力端部１７自体についても、複数設ける場合の本数や相対角度などは限定されるものではない。
【００３９】
リンクレバー７、デッドボルト８、鎌９などにおいて、それらを上下逆向きに配置する（倒立させた配置にする）ことなども可能である。また、個々の細部形状などは何ら限定されるものではない。
【符号の説明】
【００４０】
１  鎌錠
２  シーソー操作具
２ａ  動作杆
３  戸
３ａ  戸先面
６  錠ケース
７  リンクレバー
８  デッドボルト
８ａ  側板
８ｂ  溝底部
９  鎌
１０  バネ
１５  リンク用支点
１６  出力端部
１７  入力端部
２０  円形孔
２１  第２入力端部
２３  円形孔
２４  リンクピン
２５  台形孔
２６  摺動ピン
２７  長孔
２８  ピン通孔
３０  鎌用支点
３３  傾斜孔
３４  乗り越え弾性部
３５  ボタン面
３６  操作部材
３７  シーソーピン
３８  ケース
４０  バネリング
４１  周溝
４３  ピン保持孔
４４  バネ入れ凹部
【図１】
0006263481.tif 000002
【図２】
0006263481.tif 000003
【図３】
0006263481.tif 000004
【図４】
0006263481.tif 000005
【図５】
0006263481.tif 000006
【図６】
0006263481.tif 000007
【図７】
0006263481.tif 000008
【図８】
0006263481.tif 000009
【図９】
0006263481.tif 000010
【図１０】
0006263481.tif 000011